(57)【要約】【課題】待機時の消費電力が少なく、起動時におけるサービスの提示を速やかに行う。【解決手段】起動操作が行われたことをサブマイクロコンピュータ４０で判別したとき、サブマイコン４０は、電力供給部５０を制御して、チューナ１１と、チューナ１１で選局された信号を処理してサービスの提示を行うためのＴＳ分離部１２やデコーダ１３，１４等と、メインマイクロコンピュータ４５に対して電力供給を開始させる。サブマイコン４０で記憶している選局指示信号をチューナ１１に供給して、チューナ１１の選局動作の制御がメインマイコン４５で行われる前に、チューナの選局動作を開始させる。第２のマイクロコンピュータから選局指示信号が供給されたときは、選局指示信号をチューナ１１に供給して選局する信号の切り換えを行い、切り換え後の信号を選局するための選局指示信号をサブマイコン４０で記憶する。【選択図】        図１
2007081729.tif 000002
【特許請求の範囲】
【請求項１】
チューナと、
該チューナで選局された信号の処理を行いサービスの提示を行うサービス提示手段と、
電力供給を行う電力供給手段と、
前記電力供給手段の動作を制御する第１のマイクロコンピュータと、
前記サービス提示手段の動作の制御と、前記第１のマイクロコンピュータを介して前記チューナの選局動作の制御を行う第２のマイクロコンピュータと、
操作手段とを有し、
前記第１のマイクロコンピュータは、前記チューナの選局動作を制御する選局指示信号を記憶しておき、前記操作手段で起動操作が行われたことを判別したとき、前記電力供給手段から前記チューナと前記サービス提示手段と前記第２のマイクロコンピュータに対して電力供給を開始させたのち、前記記憶している選局指示信号を前記チューナに供給して、前記チューナの選局動作を開始させる
ことを特徴とする放送受信装置。
【請求項２】
前記第１のマイクロコンピュータは、前記第２のマイクロコンピュータから選局指示信号が供給されたとき、該選局指示信号を前記チューナに供給して、該チューナで選局されている信号の切り換えを行い、該切り換え後の信号を選局するための前記選局指示信号を記憶する
ことを特徴とする請求項１記載の放送受信装置。
【請求項３】
起動操作が行われたことを判別する工程と、
前記起動操作が行われたことを判別したとき、チューナと、該チューナで選局された信号を処理してサービスの提示を行うサービス提示手段と、該サービス提示手段の動作と前記チューナの選局動作の制御を行うマイクロコンピュータに対して電力供給を開始させる工程と、
記憶している選局指示信号を前記チューナに供給して、前記チューナの選局動作を開始させる工程とを有する
ことを特徴とする放送受信方法。
【発明の詳細な説明】
【技術分野】
【０００１】
この発明は、放送受信装置と放送受信方法に関する。詳しくは、放送受信装置が待機状態であるときに動作する第１のマイクロコンピュータと、放送受信装置が待機状態であるときに動作する第２のマイクロコンピュータと、チューナを少なくとも有する場合に、サービスの提示を速やかに行うものである。
【背景技術】
【０００２】
ディジタル放送では、多様なサービスが行われており、このディジタル放送を受信する放送受信装置は、従来のアナログ放送のみを受信する装置に比べて、高機能化・高性能化がはかられている。このため、放送受信装置を動作させるためのソフトウェアは、複雑かつ大規模なものとなっている。さらに、ソフトウェアが複雑かつ大規模となっても、安定した実行環境を確保でき、またソフトウェアの開発時における移植性を向上させることができるように、高機能なオペレーティングシステムが採用されている。
【０００３】
また、電子機器では、待機時の消費電力を削減するため、特許文献１に示されているように、主電源手段をオフするときは制御マイクロコンピュータを省電力モードに設定して、再起動リモコンコードを解読したときは制御マイクロコンピュータを省電力モードから他のモードに切り換えることが行われている。
【０００４】
【特許文献１】特開平１１−２７２３７１号公報
【発明の開示】
【発明が解決しようとする課題】
【０００５】
ところで、ソフトウェアが複雑かつ大規模なものとなると、放送受信装置では電源投入後のソフトウェア起動処理に要する時間が増大する。このため、ディジタル放送のサービスを速やかに提供することができない。
【０００６】
また、マイクロコンピュータの動作モードを切り換える場合においても、ソフトウェアが複雑かつ大規模なものとなると、省電力モードから他のモードに切り換えたときに、ソフトウェアの起動に要する時間が長くなって、サービスを速やかに提供することができない場合がある。
【０００７】
さらに、マイクロコンピュータに電力を供給してソフトウェアを読み込んだ状態で待機させておくものとすれば、ユーザが放送受信装置の動作を開始させたときにサービスを速やかに提供できる。しかし、ディジタル放送を受信するための制御や高機能なユーザアプリケーションを実現するソフトウェアは、処理能力の高いマイクロコンピュータを用いて実行させる必要があり、このようなマイクロコンピュータは多くの電力を要するため、待機時の消費電力が大きい。
【０００８】
そこで、この発明では、待機時の消費電力が少なく、起動時におけるサービスの提示を速やかに行うことができる放送受信装置と放送受信方法を提供するものである。
【課題を解決するための手段】
【０００９】
この発明に係る放送受信装置および放送受信方法は、起動操作が行われたことを第１のマイクロコンピュータで判別したとき、チューナと、該チューナで選局された信号を処理してサービスの提示を行うサービス提示手段と、サービス提示手段の動作とチューナの選局動作の制御を行う第２のマイクロコンピュータに対して電力供給が開始される。また、第１のマイクロコンピュータで記憶している選局指示信号がチューナに供給されて、チューナの選局動作が開始される。その後、第２のマイクロコンピュータから選局指示信号が供給されたときは、この選局指示信号をチューナに供給することで、チューナで選局されている信号の切り換えを行い、切り換え後の信号を選局するための選局指示信号が、第１のマイクロコンピュータに記憶される。
【発明の効果】
【００１０】
この発明によれば、起動操作が行われたことを第１のマイクロコンピュータで判別したとき、チューナと、このチューナで選局された信号を処理してサービスの提示を行うサービス提示手段と、サービス提示手段の動作とチューナの選局動作の制御を行う第２のマイクロコンピュータに対して電力の供給が開始される。また、第１のマイクロコンピュータで記憶している選局指示信号がチューナに供給されて、チューナの選局動作が開始される。このため、第２のマイクロコンピュータの起動に時間を要する場合、第２のマイクロコンピュータの起動が完了したときには、チューナでの選局が完了されて、速やかにサービスを提示できる。
【発明を実施するための最良の形態】
【００１１】
以下、図を参照しながら、この発明の実施の一形態について説明する。図１は放送受信装置の概略構成を示している。
【００１２】
放送受信装置１０のチューナ１１は、アンテナ（図示せず）でディジタル放送信号を受信して得られた受信信号から、後述するサブマイクロコンピュータ４０より供給された選局指示信号に基づき、選局指示信号で示された周波数チャネルの信号を選局して中間周波信号を生成する。この選局指示信号は、サービスの提供に用いる周波数チャネルの周波数や、トランスポートストリームを識別するための識別情報、衛星放送を受信するときにはトランスポンダの制御情報等を含む信号である。
【００１３】
また、チューナ１１は、選局指示信号で示された周波数チャネルの信号選局結果を示す選局結果信号をサブマイクロコンピュータ４０に供給する。さらに、チューナ１１は復調部（図示せず）を有しており、中間周波信号に対してディジタル復調や誤り訂正、デインタリーブ処理やデスクランブル処理等を行い、得られたトランスポートストリームをＴＳ分離部１２に供給する。なお、復調部は、チューナ１１と別個に設けるものとしても良いことは勿論である。
【００１４】
ＴＳ分離部１２では、後述するメインマイクロコンピュータ４５からの制御信号に基づき、トランスポートストリームから目的のサービスパケットを分離して、映像データのパケットをビデオデコーダ１３、音声データのパケットをオーディオデコーダ１４に供給する。また、データ放送のパケットや伝送制御信号のパケットをメインマイクロコンピュータ４５に供給する。このパケットの分離は、パケットヘッダに設けられているＰＩＤ(Packet Identification)を利用して行う。
【００１５】
ビデオデコーダ１３は、映像データの復号を行い、復号後の映像データを映像提示処理部１５や記憶装置３３に供給する。映像提示処理部１５は、所望のサービスの映像を表示するための動画プレーンの信号や静止画を表示するための静止画プレーンの信号、文字や図形を表示するための文字図形プレーンの信号、および字幕を表示するための字幕プレーンの信号等の切換や混合を行い、表示駆動信号を生成する。また、生成した表示駆動信号を表示装置１６に供給する。表示装置１６は、表示駆動信号に基づいて、番組の映像や静止画、字幕等の表示を行う。なお、動画プレーンの信号としては、ビデオデコーダ１３から供給された映像データを用いる。また、静止画プレーンや文字図形プレーンおよび字幕プレーンの信号は、メインマイクロコンピュータ４５から供給された信号を用い、あるいはメインマイクロコンピュータ４５からの指示に基づいて映像提示処理部１５で生成された信号を用いる。
【００１６】
オーディオデコーダ１４は、音声データの復号を行い、復号後の音声データを音声出力処理部１７に供給する。音声出力処理部１７は、オーディオデコーダ１４から供給された音声データをアナログの音声信号に変換したのち所望の信号レベルとしてスピーカ１８に供給することで音声出力を行う。
【００１７】
このようにサービス提示手段、すなわちＴＳ分離部１２、ビデオデコーダ１３、オーディオデコーダ１４、映像提示処理部１５、表示装置１６、音声出力処理部１７、スピーカ１８によって、放送サービスの提示が行われる。なお、サービス提示手段は、上述の構成に限られるものではなく、例えば映像の提示のみを行う場合、オーディオデコーダ１４や音声出力処理部１７およびスピーカ１８は不要となる。
【００１８】
チューナ１１やＴＳ分離部１２、ビデオデコーダ１３、オーディオデコーダ１４、映像提示処理部１５、音声出力処理部１７は、バス２０を介して第１のマイクロコンピュータであるサブマイクロコンピュータ４０および第２のマイクロコンピュータであるメインマイクロコンピュータ４５と接続されている。また、バス２０には、記憶装置３３や通信部３５が接続されている。
【００１９】
サブマイクロコンピュータ４０は、メインマイクロコンピュータ４５に比べてローレベルな制御、すなわちメインマイクロコンピュータ４５よりも簡単な制御を行うものであり、メインマイクロコンピュータ４５に比べて消費電力が少ないものとされている。このサブマイクロコンピュータ４０には、バス２０を介して入力部３１が接続されている。
【００２０】
入力部３１は、リモートコントロール装置６０から送信された信号を受信するリモートコントロール信号受信部や操作キーで構成されている。入力部３１とリモートコントロール装置６０は、操作手段を構成するものであり、入力部３１に設けられている操作キーのキー操作に応じた操作信号をサブマイクロコンピュータ４０に供給する。あるいは、リモートコントロール装置６０から送信された信号を受信して、リモートコントロール装置６０に設けられている操作キーのキー操作に応じた操作信号をサブマイクロコンピュータ４０に供給する。
【００２１】
記憶装置３３は、放送受信装置１０によって受信したデータを記憶する。通信部３５は、データ放送の双方向サービスや限定受信における管理データの送受信等を行うためのものであり公衆通信回線等に接続されている。
【００２２】
サブマイクロコンピュータ４０は、入力部３１から供給された操作信号に基づいて、放送受信装置１０の起動操作（パワーオン操作）あるいは終了操作（パワーオフ操作）が行われたと判別したとき、後述する電力供給部５０に電力供給制御信号を供給して電力供給動作を制御する。ここで、サブマイクロコンピュータ４０は、起動操作が行われたと判別したとき、電力供給部５０からチューナ１１やメインマイクロコンピュータ４５およびサービス提示手段を構成する各部等に電力を供給させる。また、チューナ１１やメインマイクロコンピュータ４５に起動指示を行ってそれぞれの動作を開始させる。この起動操作は、電源スイッチ（図示せず）をオン状態とする操作に限られるものではなく、例えば操作キーに予めサービスが割り当てられており、この操作キーが操作されたときは、割り当てられているサービスの提示を自動的に行うよう構成されている場合、これらの操作キーの操作も起動操作に含めるものである。
【００２３】
サブマイクロコンピュータ４０は、終了操作が行われたと判別したとき、電力供給部５０からチューナ１１やメインマイクロコンピュータ４５およびサービス提示手段を構成する各部等に対する電力の供給を停止させる。また、サブマイクロコンピュータ４０は、電力の供給停止前にメインマイクロコンピュータ４５に対して終了指示を行い、動作終了時に種々の設定情報等をメインマイクロコンピュータ４５に内蔵された不揮発性メモリ４５ｍに記憶させる。さらに、サブマイクロコンピュータ４０は、起動操作が行われたとき、サブマイクロコンピュータ４０に内蔵された不揮発性メモリ４０ｍで記憶している選局指示信号を読み出して、チューナ１１に供給する。
【００２４】
また、サブマイクロコンピュータ４０は、起動操作あるいは終了操作を示す操作信号とは異なる操作信号が供給されたとき、この操作信号をメインマイクロコンピュータ４５に供給する。さらに、サブマイクロコンピュータ４０は、提示するサービスを切り換えるために選局指示信号がメインマイクロコンピュータ４５から供給されたとき、この選局指示信号をチューナ１１に供給する。またチューナ１１に供給した選局指示信号を不揮発性メモリ４０ｍに、ラストチャネル情報として記憶する。また、チューナ１１から選局指示信号に対する応答信号として選局結果信号が供給されたときは、この選局結果信号をメインマイクロコンピュータ４５に供給する。
【００２５】
メインマイクロコンピュータ４５は、サブマイクロコンピュータ４０から起動指示が行われたとき、メインマイクロコンピュータ４５を動作させるためのオペレーティングシステムやソフトウェアプロセスの起動、ＴＳ分離部１２、ビデオデコーダ１３、オーディオデコーダ１４、映像提示処理部１５、音声出力処理部１７等のハードウェアの初期化など、動作開始のための処理を行う。この処理の完了後、メインマイクロコンピュータ４５は、入力部３１からの操作信号に基づいて制御信号を生成して、ＴＳ分離部１２、ビデオデコーダ１３、オーディオデコーダ１４、映像提示処理部１５、音声出力処理部１７および記憶装置３３や通信部３５に供給することで、放送受信装置１０の動作が、キー操作やリモートコントロール装置の操作に応じた動作となるように、サブマイクロコンピュータ４０に比べてハイレベルな制御、すなわちサブマイクロコンピュータ４０よりも高度な制御を行う。各部の動作の制御では、放送局側から伝送制御信号によって供給された番組特定情報(PSI: Program Specific Information)に含まれている情報、例えば、編成チャネル（アナログ放送のチャネルやディジタル放送における各サービスのチャネルを意味する）の映像や音声およびデータのパケットを、トランスポートストリームから抽出するための放送番組マップテーブル(PMT: Program Mapped Table)、周波数チャネルの選局に用いるネットワーク情報テーブル(NIT: Network Information Table)等を用いる。
【００２６】
電力供給部５０は、放送受信装置１０が待機状態であるか動作状態であるかによらず、入力部３１とサブマイクロコンピュータ４０に電力ＷＰa供給を行い、常にユーザ操作を検出できるように構成する。また、電力供給部５０は、サブマイクロコンピュータ４０からの電力供給制御信号に基づき、チューナ１１に対する電力ＷＰbの供給やメインマイクロコンピュータ４５およびサービス提示手段を構成する各部等に対する電力ＷＰcの供給を制御して、待機状態であるときには電力の供給を停止、動作状態であるときは電力の供給を行う。このため、待機状態の消費電力を少なくできる。
【００２７】
このように構成された放送受信装置１０では、起動操作が行われたことをサブマイクロコンピュータ４０で判別したとき、サブマイクロコンピュータ４０からチューナ１１に選局指示信号を供給して、メインマイクロコンピュータ４５から選局指示信号が供給される前にチューナ１１の選局動作を開始しておくことで、速やかにサービスを提示できるようにする。
【００２８】
次に、放送受信装置１０の動作について説明する。図２は、サブマイクロコンピュータ４０の動作、図３はメインマイクロコンピュータの動作を示している。なお、以下の説明は、待機状態からの動作を説明するものである。
【００２９】
サブマイクロコンピュータ４０は、ステップＳＴ１で、起動操作が行われたか否かを判別する。ここで、入力部３１からの操作信号に基づいて起動操作が行われたと判別したときにはステップＳＴ２に進む。また、起動操作が行われたと判別されないときにはステップＳＴ１に戻る。
【００３０】
ステップＳＴ２でサブマイクロコンピュータ４０は、チューナ１１やメインマイクロコンピュータ４５および電力供給部５０に対して、起動指示を行いステップＳＴ３に進む。具体的には、電力供給制御信号を電力供給部５０に供給して、チューナ１１やメインマイクロコンピュータ４５およびサービス提示手段を構成する各部等に対する電力供給を行う。また、チューナ１１やメインマイクロコンピュータ４５を起動させる。
【００３１】
ステップＳＴ３でサブマイクロコンピュータ４０は、チューナ１１に対して選局指示信号を供給する。すなわち、サブマイクロコンピュータ４０は、不揮発性メモリ４０ｍに記憶されている選局指示信号を読み出してチューナ１１に供給して、前回の動作終了時に選局していた周波数チャネルの信号を選局させてステップＳＴ４に進む。
【００３２】
チューナ１１は、ステップＳＴ３の処理によって、サブマイクロコンピュータ４０から選局指示信号が供給されたとき、指示された周波数チャネルの信号を選局するように選局動作を行う。また、選局が正しく行われているか、あるいは該当する周波数チャネルの信号を得ることができないか等の選局結果を示す選局結果信号を生成してサブマイクロコンピュータ４０に供給する。
【００３３】
ステップＳＴ４でサブマイクロコンピュータ４０は、メインマイクロコンピュータ４５から選局指示信号が供給されたか否かを判別する。ここで、選局指示信号が供給されていないときにはステップＳＴ４に戻り、選局指示信号が供給されたときはステップＳＴ５に進む。
【００３４】
ステップＳＴ５でサブマイクロコンピュータ４０は、選局する周波数チャネルが等しいか否かを判別する。ここで、ステップＳＴ３でチューナ１１に供給した選局指示信号によって指示した周波数チャネルと、メインマイクロコンピュータ４５から供給された選局指示信号によって指示されている周波数チャネルが等しいときにはステップＳＴ７に進む。また、周波数チャネルが等しくないときにはステップＳＴ６に進む。
【００３５】
ステップＳＴ６でサブマイクロコンピュータ４０は、メインマイクロコンピュータ４５から供給された選局指示信号をチューナ１１に供給してステップＳＴ７に進む。
【００３６】
ステップＳＴ７でサブマイクロコンピュータ４０は、チューナ１１から選局結果信号が供給されたか否かを判別する。ここで、チューナ１１から選局結果信号がサブマイクロコンピュータ４０に供給されているときはステップＳＴ８に進む。また、選局結果信号が供給されていないときはステップＳＴ７に戻る。
【００３７】
ステップＳＴ８でサブマイクロコンピュータ４０は、メインマイクロコンピュータに対して選局結果信号を応答信号として供給してステップＳＴ９に進む。
【００３８】
ステップＳＴ９でサブマイクロコンピュータ４０は、起動操作あるいは終了操作とは異なる操作が行われたか否かを判別する。ここで、起動操作あるいは終了操作とは異なる操作を示す操作信号、例えば番組切り換え等の放送サービスに関する操作を示す操作信号等が供給されたときにはステップＳＴ１０に進み、このような操作信号が供給されていないときはステップＳＴ１１に進む。
【００３９】
ステップＳＴ１０でサブマイクロコンピュータ４０は、操作信号をメインマイクロコンピュータ４５に供給してステップＳＴ１１に進む。
【００４０】
ステップＳＴ１１でサブマイクロコンピュータ４０は、メインマイクロコンピュータ４５から選局指示信号が供給されたか否かを判別する。ここで、選局指示信号が供給されたときにはステップＳＴ１２に進む。また、選局指示信号が供給されていないときは、ステップＳＴ１６に進む。
【００４１】
ステップＳＴ１２でサブマイクロコンピュータ４０は、メインマイクロコンピュータ４５から供給された選局指示信号を、チューナ１１に供給してステップＳＴ１３に進む。
【００４２】
ステップＳＴ１３でサブマイクロコンピュータ４０は選局指示信号を記憶する。すなわち、チューナ１１に対して供給した選局指示信号をラストチャネル情報として、サブマイクロコンピュータ４０の不揮発性メモリ４０ｍに記憶させてステップＳＴ１４に進む。
【００４３】
ステップＳＴ１４でサブマイクロコンピュータ４０は、チューナから選局結果信号が供給されたか否かを判別する。ここで選局結果信号がチューナ１１から供給されていないときはステップＳＴ１４に戻り、選局結果信号が供給されたときにはステップＳＴ１５に進む。
【００４４】
ステップＳＴ１５でサブマイクロコンピュータ４０は、チューナ１１から供給された選局結果信号をメインマイクロコンピュータ４５に応答信号として供給し、ステップＳＴ１６に進む。
【００４５】
ステップＳＴ１６でサブマイクロコンピュータ４０は、終了操作が行われたか否かを判別する。ここで、入力部３１から終了操作を示す操作信号が供給されていないときはステップＳＴ９に戻る。また、終了操作を示す操作信号が供給されたときにはステップＳＴ１７に進む。
【００４６】
ステップＳＴ１７でサブマイクロコンピュータ４０は、終了指示を行いステップＳＴ１に戻る。この終了指示では、チューナ１１やメインマイクロコンピュータ４５等の動作を終了させて、その後、電力供給部５０からチューナ１１やメインマイクロコンピュータ４５等に対する電力供給を停止させる。
【００４７】
次に、メインマイクロコンピュータの動作について説明する。図３のステップＳＴ２１でメインマイクロコンピュータ４５は、サービスの決定を行う。例えば、前回の動作終了時に視聴していた編成チャネルのサービスを、最初に提示するサービスに決定して、ステップＳＴ２２に進む。また、キー操作が行われたとき、割り当てられているサービスの提示を自動的に行うよう構成されている場合、キー操作によって自動的に提示が行われるサービスを最初に提示するサービスに決定する。
【００４８】
ステップＳＴ２２でメインマイクロコンピュータ４５は、サブマイクロコンピュータ４０に選局指示信号を供給してステップＳＴ２３に進む。この選局指示信号は、前回の動作終了時に視聴していた編成チャネルのサービスで用いている周波数チャネルの信号、あるいは、操作キーに割り当てられているサービスの提示をキー操作に応じて自動的に行うときに、このサービスで用いている周波数チャネルの信号を選局するための信号である。
【００４９】
ステップＳＴ２３でメインマイクロコンピュータ４５は、サブマイクロコンピュータから選局結果信号が供給されたか否かを判別する。ここで、選局結果信号がサブマイクロコンピュータ４０から供給されていないときはステップＳＴ２３に戻り、選局結果信号がサブマイクロコンピュータ４０から供給されたときはステップＳＴ２４に進む。
【００５０】
ステップＳＴ２４でメインマイクロコンピュータ４５は、サービスの提示処理を行ってステップＳＴ２５に進む。すなわち、選局結果信号によって選局が正しく行われていることが示されたときは、ＴＳ分離部１２やビデオデコーダ１３，オーディオデコーダ１４等の動作を制御して、ステップＳＴ２１で決定したサービスのパケットを抽出してデコード処理を行い、前回の動作終了時に視聴していた編成チャネルの映像や音声を表示装置１６やスピーカ１８で提示する。また、該当する周波数チャネルの信号を得ることができない等の場合には、その旨を表示するための信号を映像提示処理部１５で生成して表示装置１６に供給する。
【００５１】
ステップＳＴ２５でメインマイクロコンピュータ４５は、サービス切換操作が行われたか否かの判別を行う。ここで、サービス切換操作が行われたときにはステップＳＴ２６に進み、サービスの切り換えが行われていないときは、ステップＳＴ３０に進む。
【００５２】
ステップＳＴ２６でメインマイクロコンピュータ４５は、周波数チャネルの切り換えが必要か否かを判別する。ここで、切り換え後のサービスが異なる周波数チャネルを用いて行われているときにはステップＳＴ２７に進む。また、切り換え後のサービスが同じ周波数チャネルを用いて行われているときにはステップＳＴ２９に進む。
【００５３】
ステップＳＴ２７でメインマイクロコンピュータ４５は、選局指示信号をサブマイクロコンピュータ４０に供給してステップＳＴ２８に進む。この選局指示信号は、切り換え後のサービスの信号をチューナ１１で選局させるための信号である。
【００５４】
ステップＳＴ２８でメインマイクロコンピュータ４５は、サブマイクロコンピュータ４０から選択結果信号が供給されたか否かを判別する。ここで、選局結果信号がサブマイクロコンピュータ４０から供給されていないときにはステップＳＴ２８に戻り、選局結果信号が供給されたときにはステップＳＴ２９に進む。
【００５５】
ステップＳＴ２９でメインマイクロコンピュータ４５は、サービス切換処理を行い、切り換え後のサービスを提示してステップＳＴ３０に進む。すなわち、選局結果信号によって選局が正しく行われていることが示されたときは、ＴＳ分離部１２やビデオデコーダ１３，オーディオデコーダ１４等の動作を制御して、切り換え後のサービスのパケット抽出やデコード処理を行い、切り換え後のサービスの映像や音声を表示装置１６やスピーカ１８で提示する。また、該当する周波数チャネルの信号を得ることができない等の場合には、その旨を表示するための信号を映像提示処理部１５で生成して表示装置１６に供給する。
【００５６】
ステップＳＴ３０でメインマイクロコンピュータ４５は、終了指示がなされたか否かを判別する。ここで、サブマイクロコンピュータ４０から終了指示がなされていないときにはステップＳＴ２５に戻る。また、終了指示がなされたときにはステップＳＴ３１に進む。
【００５７】
ステップＳＴ３１でメインマイクロコンピュータ４５は、終了処理を行う。この終了処理では、動作終了時に提示していた編成チャネルのサービスを、再度動作が開始されたときに提示できるものとするための情報を、メインマイクロコンピュータ４５の不揮発性メモリ４５ｍに記憶する。
【００５８】
図４は、放送受信装置の動作を示すシーケンス図であり、図４Ａは、起動操作が行われたときに、サブマイクロコンピュータ４０からチューナ１１に選局指示信号の供給を行い、メインマイクロコンピュータ４５から選局指示信号が供給される前にチューナ１１の選局動作を開始させる場合を示している。なお、比較のため、メインマイクロコンピュータ４５からの選局指示信号に基づいてチューナ１１の選局動作を開始させる比較例の動作をを図４Ｂに示している。
【００５９】
時点ｔ11で、起動操作が行われると、入力部３１は、起動操作を示す操作信号ＣＭonをサブマイクロコンピュータ４０に供給する。サブマイクロコンピュータ４０は、操作信号ＣＭonの供給により起動指示を開始してメインマイクロコンピュータ４５に動作開始信号ＣＭpm、チューナ１１に動作開始信号ＣＭptを供給する。なお、起動指示によって、チューナ１１やメインマイクロコンピュータ４５およびサービス提示手段を構成する各部に対する電力供給を開始することは、上述の通りである。
【００６０】
時点ｔ12で、サブマイクロコンピュータ４０は、サブマイクロコンピュータ４０の不揮発性メモリ４０ｍに記憶している選局指示信号ＣＭtuを読み出して、動作終了時に提示していた編成チャネルのサービスを提示できるように、選局指示信号ＣＭtuをチューナ１１に供給する。
【００６１】
チューナ１１は、選局指示信号ＣＭtuに基づき選局動作を行い、選局動作が終了した時点ｔ13で選局結果信号ＲＳtuをサブマイクロコンピュータ４０に供給する。なお、選局動作の開始から終了までの時間を選局時間ＴＷtとする。
【００６２】
メインマイクロコンピュータ４５は、動作開始信号ＣＭpmに基づいて起動処理を開始してソフトウェアの読み込み等を行う。その後、メインマイクロコンピュータ４５の起動を完了したときには、周波数特定処理Ｐfsを行って、提示するサービスの周波数チャネルを決定する。さらに、決定した周波数チャネルの信号をチューナ１１で選局するように選局指示信号ＣＭtuの生成を行い、時点ｔ21で生成された選局指示信号ＣＭtuをサブマイクロコンピュータ４０に供給する。
【００６３】
サブマイクロコンピュータ４０は、時点ｔ13で選局結果信号ＲＳtuを受信していることから、時点ｔ21で選局指示信号ＣＭtuが供給されたとき、この選局指示信号ＣＭtuで示す周波数チャネルが、チューナ１１で選局している周波数チャネルと等しいときには、直ちに選局結果信号ＲＳtuをメインマイクロコンピュータ４５に供給して応答を行う。
【００６４】
メインマイクロコンピュータ４５は、選局結果信号ＲＳtuによって、選局が正しく行われていることが示されたときは、前回の動作終了時に視聴していた編成チャネルのパケット抽出やデコード処理等のサービス提示処理Ｐsdを開始して、サービスの映像や音声を表示装置１６やスピーカ１８で提示する。このため、時点ｔ11から例えば時間ＴＥ1経過後の時点ｔ31でサービスの提示が開始される。なお、該当する周波数チャネルの信号を得ることができない等の場合には、その旨を表示するための信号を映像提示処理部１５で生成して表示装置１６に供給する。
【００６５】
一方、比較例のように、メインマイクロコンピュータ４５からの選局指示信号ＣＭtuに基づいてチューナ１１の選局動作を開始させるものとすると、図４Ｂに示すように、サブマイクロコンピュータ４０は、時点ｔ21でメインマイクロコンピュータ４５から選局指示信号ＣＭtuが供給されたとき、この選局指示信号ＣＭtuをチューナ１１に供給する。
【００６６】
チューナ１１は、時点ｔ2mで選局指示信号ＣＭtuが供給されたとき選局動作を開始して、時点ｔ2mから選局時間ＴＷtが経過した時点ｔ2nで、選局結果信号ＲＳtuをサブマイクロコンピュータ４０に供給する。サブマイクロコンピュータ４０は、チューナ１１から供給された選局結果信号ＲＳtuをメインマイクロコンピュータ４５に供給する。
【００６７】
メインマイクロコンピュータ４５は、時点ｔ2pでサブマイクロコンピュータ４０から供給された選局結果信号ＲＳtuによって、選局が正しく行われていることが示されたときは、前回の動作終了時に視聴していた編成チャネルのパケット抽出やデコード処理を開始して、サービスの映像や音声を表示装置１６やスピーカ１８で提示する。このため、時点ｔ11から例えば時間ＴＥ1よりも長い時間ＴＥ2が経過した時点ｔ32でサービスの提示が開始される。
【００６８】
この比較例のように、メインマイクロコンピュータ４５からの選局指示信号ＣＭtuに基づいてチューナ１１の選局動作を開始させる場合、メインマイクロコンピュータ４５では、選局指示信号ＣＭtuを出力してから、選局結果信号ＲＳtuが供給されるまで、少なくとも選局時間ＴＷt以上の待ち時間を生じる。しかし、実施の形態のように、メインマイクロコンピュータ４５から選局指示信号ＣＭtuが供給される前に、サブマイクロコンピュータ４０からチューナ１１に対して選局指示信号ＣＭtuを供給して、チューナ１１の選局動作を開始させておけば、メインマイクロコンピュータ４５から選局指示信号ＣＭtuが出力されたのち、メインマイクロコンピュータ４５に選局結果信号ＲＳtuが供給するまで時間を短くすることができ、サービスの提示を速やかに行うことができる。
【００６９】
また、待機時には、入力部３１とサブマイクロコンピュータ４０以外への電力供給が停止されるので、待機時の消費電力を小さくできる。また、サブマイクロコンピュータ４０は、デコーダの制御等の複雑な処理を行うものではないことから、処理能力の高いマイクロコンピュータを用いる必要はないので、待機時の消費電力をさらに小さくできる。
【図面の簡単な説明】
【００７０】
【図１】放送受信装置の概略構成を示す図である。
【図２】サブマイクロコンピュータの動作を示すフローチャートである。
【図３】メインマイクロコンピュータの動作を示すフローチャートである。
【図４】放送受信装置の動作を示すシーケンス図である。
【符号の説明】
【００７１】
１０・・・放送受信装置、１１・・・チューナ、１２・・・ＴＳ分離部、１３・・・ビデオデコーダ、１４・・・オーディオデコーダ、１５・・・映像提示処理部、１６・・・表示装置、１７・・・音声出力処理部、１８・・・スピーカ、２０・・・バス、３１・・・入力部、３３・・・記憶装置、３５・・・通信部、４０・・・サブマイクロコンピュータ、４５・・・メインマイクロコンピュータ、５０・・・電力供給部、６０・・・リモートコントロール装置
【図１】
2007081729.tif 000003
【図２】
2007081729.tif 000004
【図３】
2007081729.tif 000005
【図４】
2007081729.tif 000006